(57)【要約】【課題】携帯電話端末装置に取り付け、着信の相手先の情報を表示させることができるようにする。【解決手段】携帯電話端末装置１１は、ストラップ接続部１９と、ストラップ接続部１９をコアとして巻回された一次側コイル１８と、一次側コイル１８にパターン信号を供給する電流制御部１７とを備える。外部表示装置２１は、ストラップ接続部１９に着脱自在の二次側コイル２５と、情報を表示する外部表示部２２と、二次側コイル２５と外部表示装置２１との間を繋ぐストラップ部２４とを備える。二次側コイル２５をストラップ接続部１９に取り付けて、携帯電話端末装置１１に外部表示装置２１を固定すると共に、一次側コイル１８と二次側コイル２５とを電磁誘導で結合し、携帯電話端末装置１１からのパターン信号を、一次側コイル１８と二次側コイル２５との電磁誘導により外部表示装置２１に伝送する。【選択図】図１
2011176685.tif 000002
【特許請求の範囲】
【請求項１】
携帯電話端末装置と、当該携帯電話端末装置に着脱自在の外部表示装置とを備える情報表示システムであって、
前記携帯電話端末装置は、
前記外部表示装置を接続するストラップ接続部と、
前記ストラップ接続部をコアとして巻回された一次側コイルと、
前記一次側コイルにパターン信号を供給する電流制御部とを備え、
前記外部表示装置は、
前記ストラップ接続部に着脱自在の二次側コイルと、
情報を表示する外部表示部と、
前記二次側コイルと前記外部表示部との間を電気的に繋ぐストラップ部とを備え、
前記二次側コイルを前記ストラップ接続部に取り付けて、前記携帯電話端末装置に前記外部表示装置を固定すると共に、前記一次側コイルと前記二次側コイルとを電磁誘導で結合し、
携帯電話端末装置からの前記パターン信号を、前記一次側コイルと前記二次側コイルとの電磁誘導により前記外部表示装置に伝送する
ことを特徴とする情報表示システム。
【請求項２】
前記携帯電話端末装置から前記外部表示装置に、着信の相手先に基づく情報をパターン信号で伝送し、前記外部表示装置は、前記着信の相手先に基づく情報を表示することを特徴とする請求項１に記載の情報表示システム。
【請求項３】
前記携帯電話端末装置から前記外部表示装置に、時刻アラームに基づく情報をパターン信号で伝送し、前記外部表示装置は、前記時刻アラームに基づく情報を表示することを特徴とする請求項１に記載の情報表示システム。
【請求項４】
前記携帯電話端末装置から前記外部表示装置に、バッテリー残量に関する情報をパターン信号で伝送し、前記外部表示装置は、前記バッテリー残量に関する情報を表示することを特徴とする請求項１に記載の情報表示システム。
【請求項５】
携帯電話端末装置から、前記外部表示装置を着脱自在に取り付けられた携帯電話端末装置に情報伝送する情報伝送方法であって、
前記携帯電話端末装置の一次側コイルと前記外部表示装置の二次側コイルとを電磁誘導で結合し、携帯電話端末装置からの前記パターン信号を、前記一次側コイルと前記二次側コイルとの電磁誘導を介して伝送する
ことを特徴とする情報伝送方法。
【請求項６】
ストラップを着脱自在に取り付けるストラップ接続部と、
前記ストラップ接続部をコアとして巻回された一次側コイルと、
前記一次側コイルにパターン信号を供給する電流制御部とを備え、
前記ストラップ接続部に接続された二次側コイルに、伝送する情報に基づくパターン信号を電磁誘導で送信可能とした
ことを特徴とする携帯電話端末装置。
【請求項７】
携帯電話端末装置のストラップ接続部に着脱自在に取り付ける二次側コイルと、
情報を表示する外部表示部と、
前記二次側コイルと前記外部表示部との間を繋ぐストラップ部とを備え、
前記二次側コイルを前記携帯電話端末装置のストラップ接続部に取り付けて固定すると共に、前記一次側コイルと前記二次側コイルとを電磁誘導で結合し、
携帯電話端末装置からの前記パターン信号が、前記一次側コイルと前記二次側コイルとの電磁誘導により伝送される
ことを特徴とする外部表示装置。
【発明の詳細な説明】
【技術分野】
【０００１】
本発明は、携帯電話端末装置にストラップとして外部表示装置を取り付けるようにした情報表示システム、情報伝送方法、このような情報表示システムに用いられる携帯電話端末装置、外部表示装置に関する。
【背景技術】
【０００２】
着信応答時にアンテナから放射される電波を検知し、発光ダイオードなどを駆動して、着信を知らせるようにした携帯電話ストラップが知られている。また、例えば特許文献１には、アンテナとして作用する細紐を用い、このアンテナで受けた電波の検知出力で、ＥＬ（Ｅｌｅｃｔｒｏ  Ｌｕｍｉｎｅｓｃｅｎｃｅ）素子を駆動するようにしたものが提案されている。また、特許文献２には、電磁誘導コイルにより、携帯電話からの電波を受け、この電磁誘導コイルのエネルギーで発光ダイオードを点灯させることで、ボタン電池等を不要にしたものが提案されている。
【先行技術文献】
【特許文献】
【０００３】
【特許文献１】特開２００１−０６９２０２号公報
【特許文献２】特開２０００−３５８０８７号公報
【発明の概要】
【発明が解決しようとする課題】
【０００４】
特許文献１及び特許文献２に示される携帯電話のストラップは、着信時に携帯電話端末装置から放射される電波を検出して、発光ダイオードやＥＬ素子を点灯させるものである。そのため、このような携帯電話端末装置のストラップは、単に、着信の有無を知らせるものであり、誰からの着信か等の情報を表示させることはできないという問題があった。
【０００５】
一般に、携帯電話端末装置には、外部コネクタが設けられており、このコネクタから信号を取り出すことで、各種の情報を取り出すことができる。そのため、携帯電話端末装置のストラップがこのようなコネクタを介して情報を取り出すことで、当該ストラップに誰からの着信か等の情報を表示させることができると考えられる。
しかしながら、ストラップがこのようなコネクタを介して情報を取り出す場合、ストラップの回路構成が複雑になることで高価になると共に、コネクタ接続部が邪魔になり、携帯電話端末装置のファッション性を著しく害することになる。
【０００６】
上述の課題を鑑み、本発明は、着信の相手先の情報を表示させることができると共に、安価で、簡単に装着できるようにした情報表示システム、情報伝送方法、携帯電話端末装置、外部表示装置を提供することを目的とする。
【課題を解決するための手段】
【０００７】
本発明は上記の課題を解決するためになされたものであり、携帯電話端末装置と、当該携帯電話端末装置に着脱自在の外部表示装置とを備える情報表示システムであって、前記携帯電話端末装置は、前記外部表示装置を接続するストラップ接続部と、前記ストラップ接続部をコアとして巻回された一次側コイルと、前記一次側コイルにパターン信号を供給する電流制御部とを備え、前記外部表示装置は、前記ストラップ接続部に着脱自在の二次側コイルと、情報を表示する外部表示部と、前記二次側コイルと前記外部表示部との間を電気的に繋ぐストラップ部とを備え、前記二次側コイルを前記ストラップ接続部に取り付けて、前記携帯電話端末装置に前記外部表示装置を固定すると共に、前記一次側コイルと前記二次側コイルとを電磁誘導で結合し、携帯電話端末装置からの前記パターン信号を、前記一次側コイルと前記二次側コイルとの電磁誘導により前記外部表示装置に伝送することを特徴とする。
【０００８】
また、本発明は、携帯電話端末装置から、前記外部表示装置を着脱自在に取り付けられた携帯電話端末装置に情報伝送する情報伝送方法であって、前記携帯電話端末装置の一次側コイルと前記外部表示装置の二次側コイルとを電磁誘導で結合し、携帯電話端末装置からの前記パターン信号を、前記一次側コイルと前記二次側コイルとの電磁誘導を介して伝送することを特徴とする。
【０００９】
また、本発明は、ストラップを着脱自在に取り付けるストラップ接続部と、前記ストラップ接続部をコアとして巻回された一次側コイルと、前記一次側コイルにパターン信号を供給する電流制御部とを備え、前記ストラップ接続部に接続された二次側コイルに、伝送する情報に基づくパターン信号を電磁誘導で送信可能としたことを特徴とする。
【００１０】
また、本発明は、携帯電話端末装置のストラップ接続部に着脱自在に取り付ける二次側コイルと、情報を表示する外部表示部と、前記二次側コイルと前記外部表示部との間を繋ぐストラップ部とを備え、前記二次側コイルを前記携帯電話端末装置のストラップ接続部に取り付けて固定すると共に、前記一次側コイルと前記二次側コイルとを電磁誘導で結合し、携帯電話端末装置からの前記パターン信号が、前記一次側コイルと前記二次側コイルとの電磁誘導により伝送されることを特徴とする。
【発明の効果】
【００１１】
本発明によれば、外部表示装置の二次側コイルを携帯電話端末装置のストラップ接続部に取り付けると、携帯電話端末装置側の一次側コイルと外部表示装置側の二次側コイルとが電磁誘導で結合される。このため、携帯電話端末装置からのパターン信号を、外部表示装置側に電磁誘導で送ることができ、外部表示装置に、着信の相手先の情報を簡単に表示させることができる。
【図面の簡単な説明】
【００１２】
【図１】本発明の第１の実施形態の携帯電話端末装置及び外部表示装置の構成を示すブロック図である。
【図２】本発明の第１の実施形態の携帯電話端末装置に外部表示装置を取り付けて使用する場合の状態の説明図である。
【図３】本発明の第１の実施形態における携帯電話端末装置の動作を示すフローチャートである。
【図４】本発明の第１の実施形態における外部表示装置の動作を示すフローチャートである。
【発明を実施するための形態】
【００１３】
以下、本発明の実施の形態について図面を参照しながら説明する。
図１は、本発明の第１の実施形態の携帯電話端末装置及び外部表示装置の構成を示すブロック図である。
【００１４】
図１に示すように、本発明の第１の実施形態の携帯電話端末装置１１は、ＣＰＵ（中央処理装置）１２と、メモリ１３と、送受信部１４と、キー入力部１５と、表示部１６と、電流制御部１７と、一次側コイル１８と、ストラップ接続部１９とを備えている。
【００１５】
ＣＰＵ１２は、装置内の各部と接続されており、装置内の各部を制御する。また、ＣＰＵ１２は、着信時の相手先等に対応するパターン信号を、メモリ１３から読み出して、出力する機能を有する。
メモリ１３は、ＣＰＵ１２が実行するための各種の制御用プログラムやデータの保管に使用される。また、メモリ１３には、着信時の相手先等に対応するパターン信号が記憶されている。
送受信部１４は、無線によってデータの送受信を行う回路である。
キー入力部１５は、各種キーからのキー入力を受け付ける入力回路である。
表示部１６は、装置本体の前面に配置されており、液晶パネルあるいは有機ＥＬ等の表示装置である。
電流制御部１７は、ＣＰＵ１２で生成されたパターン信号を一次側コイル１８に供給する。ストラップ接続部１９は、例えばフェライト部材からなり、ストラップを取り付けるための取り付け金具であると共に、一次側コイル１８のコアとなっている。
一次側コイル１８は、ストラップ接続部１９をコアとして巻回されている。
【００１６】
外部表示装置２１は、ユーザが携帯電話端末装置１１に着脱自在に取り付けて使用される。図１に示すように、外部表示装置２１は、外部表示部２２と、信号検出部２３と、ストラップ部２４と、二次側コイル２５で構成される。
【００１７】
二次側コイル２５は、携帯電話端末装置１１のストラップ接続部１９に着脱自在に取り付ける接続部となると共に、携帯電話端末装置１１の一次側コイル１８と電磁誘導で結合され、携帯電話端末装置からのパターン信号を受信する。例えば、ストラップ接続部１９が開閉部を備えるカラビナ状の構造を有していれば、当該開閉部を開放することで、二次側コイル２５を携帯電話端末装置１１に着脱させることができる。なお、二次側コイル２５がストラップ接続部１９に着脱自在であるための構成はこれに限られず、二次側コイル２５またはストラップ接続部１９が他の構造を有することで着脱自在となっていても良い。
【００１８】
ストラップ部２４は、二次側コイル２５と外部表示装置２１との間を繋ぐ吊り紐であると共に、二次側コイル２５と外部表示装置２１との間の信号を伝送する。
信号検出部２３は、二次側コイル２５からストラップ部２４を介して伝送されてきたパターン信号を検出する。
外部表示部２２は、例えば、液晶パネルや有機ＥＬで構成され、パターン信号に基づく情報を表示する。
【００１９】
図２は、本発明の第１の実施形態の携帯電話端末装置１１に外部表示装置２１を取り付けて使用する場合の状態の説明図である。
【００２０】
図２に示すように、外部表示装置２１は、ストラップ部２４の先端の二次側コイル２５が携帯電話端末装置１１のストラップ接続部１９に巻回されることにより、携帯電話端末装置１１に取り付けられる。前述したように、ストラップ接続部１９は、例えばフェライト部材からなっている。外部表示装置２１の二次側コイル２５を携帯電話端末装置１１のストラップ部２４に取り付けると、携帯電話端末装置１１側の一次側コイル１８と、外部表示装置２１側の二次側コイル２５とは、電磁誘導で結合される。
【００２１】
図１において、メモリ１３には、着信の相手先に応じたパターン信号が記憶されている。携帯電話端末装置１１に着信があると、ＣＰＵ１２は、メモリ１３から着信の相手先に応じたパターン信号を読み出し、このパターン信号を電流制御部１７に供給する。電流制御部１７は、ＣＰＵ１２からのパターン信号に応じた電流を一次側コイル１８に供給する。
【００２２】
前述したように、外部表示装置２１を携帯電話端末装置１１のストラップ部２４に取り付けると、携帯電話端末装置１１側の一次側コイル１８と外部表示装置２１側の二次側コイル２５とは電磁誘導で結合される。このため、一次側コイル１８に着信の相手先に応じたパターン信号が流れると、このパターン信号は、一次側コイル１８から二次側コイル２５に伝えられ、ストラップ部２４を介して、信号検出部２３に供給される。
【００２３】
信号検出部２３は、着信の相手先に応じたパターン信号から、例えば電話番号や相手先を示す表示信号を生成し、この表示信号を外部表示部２２に供給する。外部表示部２２は、この表示信号により、図２に示すように、電話番号や相手先を示す情報の表示を行う。
【００２４】
図３は、本発明の第１の実施形態における携帯電話端末装置１１の動作を示すフローチャートである。図３において、ＣＰＵ１２は、着信があったかどうかを判定し（ステップＳ１）、着信があったら、メモリ１３から、着信の相手先に応じたパターン信号を読み出し（ステップＳ２）、このパターン信号を電流制御部１７に供給する（ステップＳ３）。これにより、一次側コイル１８に、パターン信号に応じた電流が流れる。一次側コイル１８に、パターン信号に応じた電流が流されると、電磁誘導により、二次側コイル２５に、パターン信号に応じた電流が流れる。
【００２５】
図４は、本発明の第１の実施形態における外部表示装置２１の動作を示すフローチャートである。図４において、外部表示装置２１の信号検出部２３は、二次側コイル２５に電磁誘導によるパターン信号に応じた電流が流れるかどうかを検出しており（ステップＳ１１）、二次側コイル２５にパターン信号に応じた電流が流れると、着信の相手先に応じたパターン信号から、例えば電話番号や相手先を示す表示信号を生成し、この表示信号を外部表示部２２に供給する（ステップＳ１２）。外部表示部２２は、この表示信号により、電話番号や相手先の名前を示す情報の表示を行う（ステップＳ１３）。
【００２６】
以上説明したように、本発明の第１の実施形態では、外部表示装置２１の二次側コイル２５を携帯電話端末装置１１のストラップ接続部１９に取り付けると、携帯電話端末装置１１側の一次側コイル１８と外部表示装置２１側の二次側コイル２５とが電磁誘導で結合される。このため、ＣＰＵ１２からのパターン信号を、外部表示装置２１側に電磁誘導で送ることができ、外部表示装置２１に、着信の情報を簡単に表示させることができる。
【００２７】
なお上述の実施形態では、着信の相手先の電話番号や相手の名前のパターン信号を、一次側コイル１８と二次側コイル２５との電磁誘導により、携帯電話端末装置１１から外部表示装置２１に伝送して、外部表示部２２に表示させているが、着信の情報以外にも、時刻アラームやバッテリー残量アラームなどを示すパターン信号を電流制御部１７に信号を送出し、一次側コイル１８と二次側コイル２５との電磁誘導により、携帯電話端末装置１１から外部表示装置２１に伝送して、外部表示部２２に表示をさせることができるようにしても良い。
【００２８】
本発明は、上述した実施形態に限定されるものではなく、この発明の要旨を逸脱しない範囲内で様々な変形や応用が可能である。
【符号の説明】
【００２９】
１１：携帯電話端末装置
１２：ＣＰＵ
１３：メモリ
１４：送受信部
１５：キー入力部
１６：表示部
１７：電流制御部
１８：一次側コイル
１９：ストラップ接続部
２１：外部表示装置
２２：外部表示部
２３：信号検出部
２４：ストラップ部
２５：二次側コイル
【図１】
2011176685.tif 000003
【図２】
2011176685.tif 000004
【図３】
2011176685.tif 000005
【図４】
2011176685.tif 000006